(57)【要約】【課題】受け部を適切に取り付けることが可能な漏水受け具を提供する。【解決手段】天井１００に取り付けられて用いられ、その天井１００からの漏水を受けることが可能な漏水受け具であって、漏水を受けることが可能な受け部２０と、受け部２０に設けられ、天井１００に吸着させることが可能な吸盤３１と、を備える。受け部２０は、天井１００に取り付けられた場合に天井に向かうよう立設された立設壁２７を備え、吸盤３１は立設壁２７の内側に複数設けられる。吸盤は、受面に設けられている受け部２０は、受けた漏水を排出可能な排出口２２を備えており、排出口２２は、排水管に接続可能である。【選択図】図１５
2020165138.tif 000002
【特許請求の範囲】
【請求項１】
天井に取り付けられて用いられ、その天井からの漏水を受けることが可能な漏水受け具であって、
前記漏水を受けることが可能な受け部と、
前記受け部に設けられ、前記天井に吸着させることが可能な吸盤と、を備える、漏水受け具。
【請求項２】
前記受け部は、受けた前記漏水を排出可能な排出口を備える、請求項１に記載の漏水受け具。
【請求項３】
前記排出口は、排水管と接続可能な接続部を備える、請求項２に記載の漏水受け具。
【請求項４】
前記吸盤は、前記排出口の周囲に複数設けられる、請求項２又は３に記載の漏水受け具。
【請求項５】
前記受け部は、
前記天井に取り付けられた場合に前記天井に対向する面を有する受面と、
前記天井に取り付けられた場合に前記天井に向かうように、前記受面の周縁に立設された立設壁と、を備え、
前記吸盤は、前記受面に設けられる、請求項１〜４のいずれか１項に記載の漏水受け具。
【請求項６】
請求項１〜５のいずれか１項に記載の漏水受け具を用いる漏水受け構造であって、
天井からの漏水を受けることが可能なように、前記受け部が前記吸盤により前記天井に取り付けられている、漏水受け構造。
【発明の詳細な説明】
【技術分野】
【０００１】
本発明は、天井の漏水箇所に取り付けられて用いられる漏水受け具、及び、その漏水受け具を設置した漏水受け構造に関する。
【背景技術】
【０００２】
従来、地下街や地下道等の天井で漏水が生じている場合に、その漏水を受ける漏水受け具を取り付けることが行われている。このような漏水受け具として、特許文献１〜４に記載の漏水受け具がある。特許文献１及び２に記載の漏水受け具では、床面と天井とを複数の棒で繋ぎ、その棒で囲まれた領域に水の通路を設けることで、漏水を適切に排水することを可能としている。また、特許文献３及び４に記載の漏水受け具では、粘着テープを用いたり、天井に取り付けた金具等を用いたりすることで、漏水を受ける受け部を天井に固定している。
【先行技術文献】
【特許文献】
【０００３】
【特許文献１】特許第６３８２４６９号
【特許文献２】特開２００８−２８５９７９号公報
【特許文献３】特開２００４−１５８８３４号公報
【特許文献４】実開平６−７１６６９号
【発明の概要】
【発明が解決しようとする課題】
【０００４】
特許文献１及び２に記載の漏水受け具のように、床面と天井を繋ぐ棒を用いる場合、通行の妨げとなるおそれがある。また、天井の漏水箇所の周辺は漏水により湿っている場合があるため、特許文献３及び４に記載の漏水受け具のように粘着テープで固定する場合には、粘着力が不十分となる場合が起こりうる。さらに、特許文献３及び４に記載の漏水受け具のように天井に金具などを取り付ける場合には、天井に穴をあける必要が生じ、その穴をあけた箇所から漏水が生ずることも起こりうる。
【０００５】
本発明は、上記課題を解決するためになされたものであり、その主たる目的は、受け部を適切に取り付けることが可能な漏水受け具、及び漏水受け構造を提供することにある。
【課題を解決するための手段】
【０００６】
第１の構成は、天井に取り付けられて用いられ、その天井からの漏水を受けることが可能な漏水受け具であって、漏水を受けることが可能な受け部と、受け部に設けられ、天井に吸着させることが可能な吸盤と、を備える。
【０００７】
第１の構成では、漏水により天井が濡れている場合にも、天井に漏水受け具を取り付けることができ、且つ、その取り付けの際に天井を傷つけないため、新たな漏水の発生を抑制することができる。加えて、漏水受け部の位置を変更しようとする場合においても、粘着テープなどの取付手段を取り換えたり、新たな天井の別の箇所に穴を開けたりする必要が無いため、漏水受け部の位置の変更を容易に行うことができる。また、吸盤は、濡れた箇所に吸着させる場合には、乾いた場所に吸着させる場合よりも吸着力が向上するのが一般的である。一方、受け部は、漏水が継続する場合には、その漏水により荷重がかかる。したがって、吸着力がより必要な漏水が継続する場合において、より強力な吸着力を得ることができ、且つ、漏水が停止して天井が乾いた場合、すなわち漏水受け具が不要となった場合には、吸着力が低下して漏水受け具の取り外しを容易にすることができる。
【０００８】
第２の構成では、受け部は、受けた漏水を排出可能な排出口を備えている。
【０００９】
第２の構成では、受けた漏水を排出することで、特に漏水が継続する場合において、受け部に掛かる荷重を低減することができる。
【００１０】
第３の構成では、排出口は、排水管と接続可能な接続具を備えている。
【００１１】
第３の構成では、排出口を排水管と接続することで、受け部が受けた漏水を適切に排出することができる。
【００１２】
第４の構成では、吸盤は、排出口の周囲に複数設けられている。
【００１３】
第４の構成では、吸盤に係る荷重を分散させることができるため、漏水受け具の落下を抑制することができる。
【００１４】
第５の構成では、受け部は、天井に取り付けられた場合に天井に対向する面を有する受面と、天井に取り付けられた場合に天井に向かうように、受面の周縁に立設された立設壁と、を備え、吸盤は、受面に設けられている。
【００１５】
第５の構成では、天井の漏水箇所の近く、すなわち湿っている可能性の高い位置に吸盤を取り付けることができるため。吸盤の吸着力を向上させることができる。
【００１６】
第６の構成は、第１〜第５のいずれかの構成における漏水受け具を用いる漏水受け構造であって、天井からの漏水を受けることが可能なように、受け部が吸盤により天井に取り付けられている。
【００１７】
第６の構成では、第１〜第５の構成における漏水受け具を適切に設置することができる。
【図面の簡単な説明】
【００１８】
【図１】漏水受け具全体の構成を示す図である。
【図２】受け部の上側からの斜視図である。
【図３】受け部の下側からの斜視図である。
【図４】受け部の平面図である。
【図５】受け部の正面図である。
【図６】受け部の背面図である。
【図７】Ａ−Ａ線断面図である。
【図８】Ｂ−Ｂ線断面図である。
【図９】取付部を構成する吸盤及び雄ネジ部の斜視図である。
【図１０】取付部を構成する吸盤及び雄ネジ部の正面図である。
【図１１】取付部を構成するカバー部の斜視図である。
【図１２】取付部を構成するカバー部の正面図である。
【図１３】取付部全体の斜視図である。
【図１４】取付部全体の正面図である。
【図１５】受け部の漏水箇所への取り付け方を示す図である。
【図１６】接続具の斜視図である。
【図１７】接続具の平面図である。
【図１８】接続具を排水管の通孔に取り付けた状態を示す図である。
【図１９】接続具から排水路を取り外した場合を説明する図である。
【図２０】保持具について説明する図である。
【発明を実施するための形態】
【００１９】
本実施形態に係る漏水受け具１０は、図１に示すように、天井１００の漏水箇所に受け部２０が取り付けられ、受け部２０が天井１００からの漏水を受ける。受け部２０には、排水路４０の一端側が接続具５０を介して接続されており、受け部２０が受けた水はその排水路４０中を通過する。排水路４０の他端側は既設の排水管２００の側面に設けられた通孔２０１に接続具５０を介して接続されており、排水路４０中を通過した水は、排水管２００へと排水される。漏水受け具１０は、このように設置されることで、漏水受け構造として機能する。なお、排水路４０は、複数の円筒形のパイプ等をつなぎ合わせたものであり、周知のものであるため、具体的な説明は省略する。
【００２０】
まず、受け部２０の具体的な構造について、図２〜８を参照して説明する。この受部２０は、例えば、硬質の樹脂であるポリプロピレンで形成されている。受け部２０は、上面視にて角丸正方形である受け面２１を備えている。この受け面２１は厚みが均一であり、４辺のそれぞれから中央下方へ向けて傾斜している。受け面２１の中心には、上下方向について垂直に下方へ突出して設けられた円筒形の排出口２２が設けられている。この排出口２２の底には、縮径された内側フランジ２３が設けられている。
【００２１】
受け面２１の一対の辺の中心のそれぞれから排出口２２へ向けて、及び、４隅のそれぞれから排出口へ向けて、下方へ凹んだ排水溝２４が設けられている。この排水溝２４の断面形状は、長手方向及び幅方向においてが均一な矩形である。
【００２２】
受面２１の、排出口２２と、排水溝２４が設けられていない辺のそれぞれとの間には、上下方向について垂直に貫通した円筒状の取付孔２５が設けられている。この取付孔２５の上端には、縮径された内側フランジ２６が設けられている。受け面２１の外周の各辺には、各辺に沿って上方へ向けて垂直に起立した、厚み及び高さが均一な立設壁２７が設けられている。すなわち、受け面２１の平行な一対の辺に設けられた立設壁２７は、互いに平行な平面を構成しており、受面２１の角の部分に設けられた立設壁２７は、その角の形状に沿った曲面を構成している。この立設壁２７の上端には、外側へ向けて均一に拡幅された、厚みが均一なフランジ部２８が設けられている。
【００２３】
以上のように構成される受け部２０は、取付部３０により天井１００へ取り付けられる。この取付部３０の構造について、図９〜１４を参照して説明する。取付部３０は、塩化ビニールで形成された、中心が窪んだ円形の吸盤３１を備えている。この吸盤３１の外径は、受け部２０の取付孔２５に設けられた内側フランジ２６の内径よりも小さい。この吸盤３１の窪んだ側の反対側の中心には、円筒の側面に螺旋状の凸部が設けられた雄ネジ部３２が接続されている。
【００２４】
この取付部３０は、円筒形の筒部３３と、その筒部３３の一方の開口を共有し、その反対側の端には底よりも径の小さい開口を有する略円錐台筒状の円錐筒部３４と、筒部３３の他方の開口の周囲に拡径して設けられたフランジ部３５と、そのフランジ部３５の筒部３３側とは反対側に突出した円環状の環状凸部３６とを有するカバー部３７を備えている。フランジ部３５の外径は、受け部２０の取付孔２５の内径よりも小さく、且つ、その取付孔２５に設けられた内側フランジ２６の内径よりも大きい。環状凸部３６の外径は、吸盤３１の直径よりもやや小さい。また、円錐筒部３４の側面には、周方向に交互に連続する、軸方向に延びた凹凸が設けられている。カバー部３７の円錐筒部３４における小径側の開口近傍には、縮径された内側フランジ３８が設けられており、その内側フランジ３８の内周面には、螺旋状に連続する雌ネジ部３９が形成されている。その雌ネジ部３９の径は雄ネジ部３２の螺旋状の凸部と係合する径である。
【００２５】
以上のように構成される取付部３０を用いて、天井１００への受け部２０の取り付け方について図１５を参照して説明する。まず、吸盤３１に接続された雄ネジ部３２を、受け部２０の取付孔２５に通す。続いて、カバー部３７を取付孔２５に下側から入れ、雄ネジ部３２を雌ネジ部３９に係合させて、カバー部３７を回転させる。カバー部３７を回転させることでカバー部３７は上昇し、フランジ部３５が内側フランジ２５の下面に当接し、環状凸部３６が吸盤３１に当接する。フランジ部３５が内側フランジ２５の下面に当接し、環状凸部３６が吸盤３１に当接した時点で、カバー部３７の回転を一旦停止し、受け部２０の上面が天井１００の漏水箇所１０１に対向するようにして、吸盤３１を天井１００に吸着させる。そして、カバー部３７をさらに回転させると、その回転に伴って雄ネジ部３２が雌ネジ部３９に引き込まれ、吸盤３１がカバー部３７側へと引っ張られる。これにより、吸盤３１と天井１００との間の体積が大きくなってその空間の気圧が低下し、吸盤３１の吸着力が向上して、天井１００に受け部２０を取り付けることができる。
【００２６】
排水路４０の受け部２０に接続される側、及び、排水管の通孔に接続される側のそれぞれは、接続具５０を介して接続される。この接続具５０は公知のものであるため、詳細な形状を省略しつつ、図１６及び１７を参照して説明する。なお、本実施形態において、接続具５０は、角筒形の排水管２００の側面に設けられた円形の通孔２０１に取り付けるものとして説明する。
【００２７】
接続具本体５１は、全体が略円筒状であり、その一部の外形は、接続される排水路４０の内径と略等しい。また、接続具本体５１の長手方向の中央近傍の外周面には、外周面から隆起して周方向に旋回する螺旋状であるネジ部（図示せず）が設けられている。また、排水路４０に接続される側とは反対側の端部には、拡径されたフランジが設けられている。
【００２８】
ナット体５２は、全体の形状が接続具本体５１よりも短い円筒形であり、内面には、接続具本体５１のネジ部と係合する内ネジ部（図示せず）が設けられている。スペーサ体５３は、軸方向に延びる円筒状であり、一方の端部には、拡径されたフランジが設けられている。止水体５４は、弾性を有しており、円筒形である。
【００２９】
以上のように構成される接続具５０は、図１８に示すように、排水管２００の内部に止水体５４が位置するようにして、ナット体５２を回してスペーサ体５３を排水管２００の通行２０１の周囲に押し付けることで、取り付けられる。この接続具５０から排水路４０が取り外された場合、図１９に示すように、接続具５０の接続具本体５１には有底筒状の栓５５が取り付けられる。この栓５５は、接続具５０に取り付けられる排水路４０と内径が略等しくなっており、接続具５０に取り付けられることで、排水管２００の外部と内部との通孔２０１を介した連通を遮断する遮断手段として機能する。なお、漏水が再度発生し、漏水受け具１０の再設置が必要となった場合等には、栓５５を外して接続具５０に排水路４０を接続し、漏水受け具１０を設置する。
【００３０】
受け具２０と排水管２００とを繋ぐ排水路４０は、保持具６０により、天井１００や壁等に取り付けられる。この保持部６０について、図２０を参照して説明する。保持具６０は、保持部６１と基部６２とを備えている。保持部６１は、断面円弧状の部材であり、その内径は、排水路４０の外径と略等しい。基部６２は、板状の部材であり、保持部６１の円弧の両端を取り外し可能に取り付けることができるように構成されている。保持部６１の内周面に排水路４０の外周面が当接するようにしておき、保持部６１の円弧の両端を基部６２に取り付けることで、保持具６０により排水路４０が保持される。
【００３１】
この保持具６０は、例えば基部６２に吸盤（図示せず）を設けておき、その吸盤により構造物の壁面等に取り付けられる。もしくは、基部６２を構造物の壁面等に接着したり粘着テープで張り付けたりする。こうすることで、基部６２を構造物の壁面等に残した状態で、保持部６１を取り外すことで、保持具６０から排水路４０を取り外すことができる。
【００３２】
上記構成により、本実施形態に係る漏水受け具は、以下の効果を奏する。
【００３３】
・受け部２０を吸盤３１を備える取付部３０により天井１００へ取り付けるものとしているため、漏水により天井１００が濡れている場合にも、天井１００に漏水受け具１０を取り付けることができ、且つ、その取り付けの際に天井１００を傷つけないため、新たな漏水の発生を抑制することができる。加えて、漏水受け部１０の位置を変更しようとする場合においても、粘着テープなどの取付手段を取り換えたり、天井１００の別の箇所に穴を開けたりする必要が無いため、漏水受け部１０の位置の変更を容易に行うことができる。
【００３４】
・吸盤３１は、濡れた箇所に吸着させる場合には、乾いた場所に吸着させる場合よりも吸着力が向上するのが一般的である。一方、受け部２０は、漏水が継続する場合には、その漏水により荷重がかかる。したがって、吸盤３１により受け部２０を取り付けることで、吸着力がより必要な漏水が継続する場合において、より強力な吸着力を得ることができ、且つ、漏水が停止して天井１００が乾いた場合、すなわち漏水受け具１０が不要となった場合には、吸着力が低下して漏水受け具１０の取り外しを容易にすることができる。
【００３５】
・受け部２０の排出口２２を排水路４０を介して既設の排水管２００と接続しているため、受け部２０が受けた漏水を適切に排出することができる。
【００３６】
・受け部２０を排出口２２を囲むように複数の取付部３０により取り付けているため、取付部３０に係る荷重を分散させることができ、受け部２０の落下を抑制することができる。また、取付部３０を天井１００の漏水箇所２０１の近く、すなわち湿っている可能性の高い位置に取り付けるものとしているため、吸盤３１の吸着力を向上させることができる。
【００３７】
・排水路４０を撤去する場合に保持部６１を基部６２から取り外せばよいため、排水路４０の撤去が容易になる。また、漏水のおそれがある箇所の近傍に予め基部６２を取り付けておいたり、漏水が収束した場合に基部６２を構造物に取り付けたままにしておいたりすることで、漏水が発生した場合に、素早く排水路４０を設置することができる。
【００３８】
・排水管２００に通孔２０１を設ける場合、その通孔２０１を開放することにより、排水管２００からの臭いが通孔２０１を介して外部へ漏れるおそれがある。この点、本実施形態では、排水路４０を取り外した場合に接続具５０に栓５５を取り付けるものとしているため、排水管２００からの臭いの漏れを抑制することができる。
【００３９】
＜変形例＞
・実施形態では、受け部２０に排出口２２を設け、その排出口２２から水を排出するものとしたが、排出口２２を設けず、一定量の水を溜めておくものとしてもよい。この場合には、特に漏水の量が少ない場合において、排水路４０等を設置する必要ことなく使用することができる。また、漏水の量が少ない場合には、受け部２０の排出口２２やその排出口２２に接続する接続具５０を栓５５等を用いて閉塞するものとしてもよい。
【００４０】
・実施形態では、受け部２０と既設の排水管２００とを接続するものとしたが、受け部２０が受けた漏水を側溝などに誘導する部材を設けるものとしてもよい。
【００４１】
・実施形態では、取付孔２５を２つ設け、その２つの取付孔２５にそれぞれ取付部３０を取り付けるものとしたが、取付孔３０の数及び配置は種々の変更が可能である。また、取付孔３０を複数設けた場合において、すべての取付孔３０に取付部３０を取り付けることは必須でなく、取付部３０を取り付けない取付孔２５があってもよい。
【００４２】
・実施形態では、受け部２０の形状を上面視にて角丸正方形としたが、受け部２０の形状は種々の変更が可能である。例えば、長方形や他の多角形等としてもよい。
【００４３】
・実施形態では、受け面２１を傾斜させるものとしたが、傾斜していなくてもよい。また、排水溝２４の形状や配置についても実施形態で示したものに限られないし、排水溝２４を備えていなくてもよい。
【００４４】
・実施形態では、受け面２１の周縁に立設壁２７を設けるものとしたが、立設壁２７は必須ではない。例えば、実施形態のように、受け面２１が中心へ向かう傾斜を有していれば、立設壁２７を有していなくても、受け部２０を天井１００に取り付けた場合に受け面２１と天井１００との間に空間が生じるため、その空間を利用して水を受けることができる。
【００４５】
排水溝２４の形状や数は、実施形態で示したものに限られず、種々の変更が可能である。たま、排水を促すための構造、例えば、排水溝２４の底から突出するリブ等を設けるものとしてもよい。
【００４６】
・実施形態では、受け面２１に取付孔２５を設け、その取付孔２５に取付部３０を取り付けるものとしたが、立設壁２７の上端に設けられたフランジ部２８等の他の部分に取付部３０を取り付け可能な構造を設けるものとしてもよい。
【００４７】
・受け部２０への吸盤３１の取り付け方は、実施形態に記載したものに限られない。例えば、吸盤３１とカバー部３７とで取付孔２５に設けられた内側フランジ２７を挟み込むものとしてもよいし、取付孔２５を設けず、受け部２０の上面に吸盤３１を接着などにより取り付けるものとするなど、種々の変更が可能である。
【００４８】
・実施形態では、受け部２０の排出口２２に接続具５０を介して排水路４０を接続するものとしたが、受け部２０と排水路４０を一体に形成するものとしてもよい。また、受け部２０と所定の長さの排水路４０とを一体に形成し、必要に応じてその排水路４０を延長するように、別体の排水路４０を接続することで、排水路４０全体を構成するものとしてもよい。
【符号の説明】
【００４９】
漏水受け具…１０、受け部…２０、受け面…２１、排出口…２２、立設壁…２７、取付部…３０、吸盤…３１、排水路４０、接続具…５０、栓…５５、保持具…６０、保持部…６１、基部…６２、天井…１００、排水管…２００、通孔…２０１、
【図１】
2020165138.tif 000003
【図２】
2020165138.tif 000004
【図３】
2020165138.tif 000005
【図４】
2020165138.tif 000006
【図５】
2020165138.tif 000007
【図６】
2020165138.tif 000008
【図７】
2020165138.tif 000009
【図８】
2020165138.tif 000010
【図９】
2020165138.tif 000011
【図１０】
2020165138.tif 000012
【図１１】
2020165138.tif 000013
【図１２】
2020165138.tif 000014
【図１３】
2020165138.tif 000015
【図１４】
2020165138.tif 000016
【図１５】
2020165138.tif 000017
【図１６】
2020165138.tif 000018
【図１７】
2020165138.tif 000019
【図１８】
2020165138.tif 000020
【図１９】
2020165138.tif 000021
【図２０】
2020165138.tif 000022